(57)【要約】【課題】ＳＩＭカードは外形が小さいので、紛失し易い。また、一度紛失した場合には、外形が小さいので、発見することは容易ではない。そこで、一度紛失したとしても、容易に見つけ出すことができるＳＩＭカードを提供する。【解決手段】無線通信によって送信される特定の信号を受信する通信部１１と、前記通信部１１が前記特定の信号を受信したときに、ＳＩＭカード１０の位置を知らせる応答信号を発生する応答信号発生器１２とを有するＳＩＭカード１０である。【選択図】図１
2008033417.tif 000002
【特許請求の範囲】
【請求項１】
無線通信によって送信される特定の信号を受信する通信部と、
前記通信部が前記特定の信号を受信したときに、ＳＩＭカードの位置を知らせる応答信号を発生する応答信号発生器と
を有するＳＩＭカード。
【請求項２】
前記応答信号発生器は、人間の聴覚によって感知される応答信号を発生することによってＳＩＭカードの位置を知らせる請求項１記載のＳＩＭカード。
【請求項３】
前記応答信号発生器は、人間の視覚によって感知される応答信号を発生することによってＳＩＭカードの位置を知らせる請求項１記載のＳＩＭカード。
【請求項４】
前記通信部は、ＳＩＭカードが装着される携帯端末によって送信される所定の信号を、前記特定の信号として受信する請求項１〜３いずれか１項に記載のＳＩＭカード。
【請求項５】
請求項１〜４いずれか１項に記載のＳＩＭカードに、前記特定の信号を送信する携帯端末。
【請求項６】
前記携帯端末は、ＳＩＭカードを外された後、一定時間を経過すると前記特定の信号を送信する請求項５記載の携帯端末。
【請求項７】
前記携帯端末は、予め定められた操作が為されることによって、前記特定の信号を送信する請求項５記載の携帯端末。
【発明の詳細な説明】
【技術分野】
【０００１】
本発明は、ＳＩＭカード（ＳＩＭ Card: Subscriber Identity Mobile Card）及び携帯端末に関する。
【背景技術】
【０００２】
携帯電話の事業者は、ＳＩＭカードと呼ばれる、加入権情報（電話番号）を書き込んだＩＣカードを販売している。ユーザーは、携帯電話の事業者と加入契約をして、ＳＩＭカードを取得する。このＳＩＭカードを、ユーザが自身の携帯電話端末に装着すれば、携帯電話端末が使用可能になる。もしも、ユーザが別の携帯電話端末を利用したい場合には、ＳＩＭカードを自分で差し替える。この差し替えにより、同じ電話番号のまま、別の携帯電話端末を利用できるようになる。一方、ユーザーは、複数の携帯電話の事業者と加入契約をして、複数のＳＩＭカードを取得することもできる。複数のＳＩＭカードを差し替えながら使用すれば、一台の携帯電話端末で複数の事業者を使い分けることも可能である。
【０００３】
ＳＩＭカードは、加入権と電話端末を分離する目的で作られたが、電話機から取り外しが可能であるという特徴を有する。電源及びクロックは電話端末より供給され、リード／ライト情報は不揮発メモリに記憶される。ＩＳＯ７８１０規格では、二千回の脱着、十万回のリード／ライトに対する耐久性を要求されている。
【０００４】
ＳＩＭカードは、メモリカードというよりは、ＯＳを内蔵したＣＰＵカードと言え、マイコンを搭載している。公開鍵方式を採用し、高いセキュリティを確保している。ＳＩＭカードには、認証用のＡ３アルゴリズムと暗号化用のＡ８アルゴリズムの鍵になるパラメータが格納されている。ＳＩＭカードにアクセスする際には、Personal Identification Number、PIN Unblock Key、Administration Keyの三段階のコードが必要になる。
【０００５】
ＳＩＭカードには、クレジットカードと同じ形状のフルカードと、プラグインとの二種類がある。プラグインは、幅１５ミリメートル、奥行き２５ミリメートル、厚み０．８ミリメートル程度の外形寸法を有する。プラグインのサイズを使う場合には、ＩＣチップの部分だけを切り離して、電話端末に挿入する。
【０００６】
さて、ＩＣカードに関しては、特開２００１−１４４３５号公報に記載された発明が知られる。この発明は、プロセッサを内蔵したＩＣカードにおいて、前記ＩＣカードに音声情報があらかじめ記録された音声メモリを内蔵する音声チップ及び再生された音声情報を出力する音声出力装置からなる音声出力機構が埋設されていることを特徴とする。
【０００７】
ここでは、ＩＣカードに搭載できる薄型・小型の電源及び音声出力装置が利用されている。音声出力機構は、圧電振動素子や平面スピーカ装置などの振動素子と、そこから出力する音声信号の増幅器、および出力する音声信号を蓄積している読み出し専用メモリにより構成されている。これらを駆動する電源は、太陽電池、大容量コンデンサ、１次および２次電池が用いられる。
【０００８】
ところで、薄型・小型の発光源である発光シートも実用化されている。発光シートは、厚さ０．２〜０．３ミリメートルくらいの薄いシート状の光源で、均一の輝度を持ち、サインや写真パネルなどの寸法に合せて加工することができる。また、柔軟性が高いので、折り曲げることもできる。現在、看板、ポスター、店頭サイン、インテリアの装飾光源、ギフト製品、カーアクセサリーなどに利用されている。
【０００９】
【特許文献１】特開２００１−１４４３５号公報
【発明の開示】
【発明が解決しようとする課題】
【００１０】
ＳＩＭカードは外形が小さいので、紛失し易い。また、一度紛失した場合には、外形が小さいので、発見することは容易ではない。特に、目が不自由な人にとっては、ＳＩＭカードの差し替えを触覚に頼らざるを得ず、誤って差し替え時にＳＩＭカードを手元から落としてしまった場合には、発見が困難となる。また、暗い場所でＳＩＭカードを落とした場合には、手探りで捜しあてるのが難しくなる。本発明の目的は、一度紛失したとしても、容易に見つけ出すことができるＳＩＭカードを提供することである。
【課題を解決するための手段】
【００１１】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【００１２】
本発明によるＳＩＭカード（１０，３０）は、無線通信によって送信される特定の信号を受信する通信部（１１，３１）と、前記通信部（１１，３１）が前記特定の信号を受信したときに、ＳＩＭカード（１０，３０）の位置を知らせる応答信号を発生する応答信号発生器（１２，３２）とを有する。また、本発明によるＳＩＭカード（１０）においては、前記応答信号発生器（１２）が、人間の聴覚によって感知される応答信号を発生することによってＳＩＭカード（１０）の位置を知らせる。また、本発明によるＳＩＭカード（３０）においては、前記応答信号発生器（３２）が、人間の視覚によって感知される応答信号を発生することによってＳＩＭカード（３０）の位置を知らせる。また、本発明によるＳＩＭカード（１０，３０）においては、前記通信部（１１，３１）が、ＳＩＭカード（１０，３０）が装着される携帯端末（１６，３６）によって送信される所定の信号を、前記特定の信号として受信する。
【００１３】
また、本発明による携帯端末（１６，３６）は、前記ＳＩＭカード（１０，３０）に、前記特定の信号を送信する。また、本発明による携帯端末（１６，３６）においては、ＳＩＭカード（１０，３０）を外された後、一定時間を経過すると前記特定の信号を送信する。また、本発明による携帯端末（１６，３６）においては、予め定められた操作が為されることによって、前記特定の信号を送信する。
【発明の効果】
【００１４】
本発明によれば、携帯端末を使ってＳＩＭカードの捜索を始めることができるので、ＳＩＭカードを紛失したとしても、容易にそのＳＩＭカードを発見することができる。
【発明を実施するための最良の形態】
【００１５】
図１に、本発明による実施の形態におけるシステム構成図を示す。図示するように、本例ではＳＩＭカード１０が、電源１３、スピーカ音源１２、通信部１１を有しており、携帯端末１６との通信が可能となっている。ＳＩＭカード１０は、携帯端末１６に挿入して使用する。通信部１１は、携帯端末１６から送信される特定の無線信号を受信する。スピーカ音源１２は、通信部１１が特定の無線信号を受信したときに音を発生する機能を有する。電源１３は、通信部１１及びスピーカ音源１２に電力を供給する動力源である。携帯端末１６は、ＳＩＭカード１０を挿入することにより利用可能になる。
【００１６】
次に、図２のフローチャートに基づいて、図１に示す実施の形態における動作を説明する。携帯端末１６に挿入されているＳＩＭカード１０は、他の携帯端末に差し替えるときや、一度携帯端末１６から外して保管しておいたときなど、紛失される可能性がある。ＳＩＭカード１０が紛失されたとする（動作２００）。この状態において、容易に発見されれば（動作２０１）、本発明によるＳＩＭカード１０の機能を利用する必要はなく、ＳＩＭカードの捜索は終了する（動作２０２）。
【００１７】
紛失したＳＩＭカード１０が容易に発見されなかった場合、携帯端末１６はＳＩＭカード１０に対してある特定の信号を送信する（動作２０３）。特定の信号は、例えば、携帯端末１６からＳＩＭカード１０が外された後、一定時間が経過したときに自動的に送信するようにすることができる。あるいは、マニュアル的に、ユーザが携帯端末を手動操作することによって送信することができる。ここで、ユーザは、特定の信号を自動的に送信するか、または手動操作によって送信するかを、予め携帯端末１６に設定しておくことができる。
【００１８】
また、携帯端末１６は、一度挿入されたＳＩＭカードの情報を自動的に入手し、複数のＳＩＭカードを捜索することもできる。携帯端末１６は、挿入された第一のＳＩＭカードから電話番号や製造番号を読みとり、その情報を記憶する。次に、第二のＳＩＭカードが挿入されたら、その電話番号や製造番号も読みとり、その情報を記憶する。ユーザがＳＩＭカードを紛失した場合には、携帯端末１６は、記憶された情報に基づき、第一のＳＩＭカードに特定の信号を送信すると共に、第二のＳＩＭカードにも特定の信号を送信する。若しくは、携帯端末１６は、一度挿入されたＳＩＭカードの情報を自動的に入手し、最新のＳＩＭカードを捜索する。携帯端末１６は、挿入された第一のＳＩＭカードから電話番号や製造番号を読みとり、その情報を記憶した後、第二のＳＩＭカードが挿入されたら、その電話番号や製造番号も読みとり、その情報を上書きする。ユーザがＳＩＭカードを紛失した場合には、携帯端末１６は、記憶された情報に基づき、第二のＳＩＭカードに対して特定の信号を送信する。
【００１９】
ＳＩＭカード１０は、携帯端末１６から送信された特定の信号を、通信部１１により受信する（動作２０４）。この際、通信部１１は電源１３から電源の供給を受ける。通信部１１により特定の信号を受信したＳＩＭカード１０は、添付または内蔵されているスピーカ音源１２から音を発生する（動作２０５）。この際、スピーカ音源１２は電源１３から電源の供給を受ける。音の発生により、捜索者は音の発生源を追跡することができるので、紛失していたＳＩＭカード１０を容易に発見することができる（動作２０６）。もしも、ＳＩＭカード１０の発見に至らなかった場合には、捜索場所を移動するなどして、捜索（動作２０３〜２０６）を繰り返す。
【００２０】
以上、スピーカ音源を添付・内蔵する例について説明した。しかしながら、スピーカ音源を添付・内蔵するだけでなく、発行ダイオード等の発光体を添付・内蔵することによってＳＩＭカードの位置を探索することもできる。発光体を用いれば、視覚的捜索をより容易なものとすることができる。
【００２１】
図３に、本発明による他の実施の形態におけるシステム構成図を示す。図示するように、本例ではＳＩＭカード３０が、電源３３、発光源３２、通信部３１を有しており、携帯端末３６との通信が可能となっている。ＳＩＭカード３０は、携帯端末３６に挿入して使用するもので、ユーザ個人を特定するカードである。通信部３１は、携帯端末１６から送信される特定の無線信号を受信する。発光源３２は、通信部３１が特定の無線信号を受信したときに光を発生する機能を有する。電源１３は、通信部１１及び発光源３２に電力を供給する動力源である。携帯端末３６は、ＳＩＭカード３０を挿入することにより利用可能になる。
【００２２】
次に、図４のフローチャートに基づいて、図３に示す他の実施の形態における動作を説明する。携帯端末３６に挿入されているＳＩＭカード３０は、他の携帯端末に差し替えるときや、一度携帯端末３６から外して保管しておいたときなど、紛失される可能性がある。ＳＩＭカード３０が紛失されたとする（動作４００）。この状態において、容易に発見されれば（動作４０１）、本発明によるＳＩＭカード３０の機能を使用する必要はなく、ＳＩＭカードの捜索は終了する（動作４０２）。
【００２３】
紛失したＳＩＭカード３０が容易に発見されなかった場合、携帯端末３６はＳＩＭカード３０に対してある特定の信号を送信する（動作４０３）。特定の信号は、例えば、携帯端末３６からＳＩＭカード３０が外された後、一定時間が経過したときに自動的に送信するようにすることができる。あるいは、マニュアル的に、ユーザが携帯端末を手動操作することによって送信することができる。ここで、ユーザは、特定の信号を自動的に送信するか、または手動操作によって送信するかを、予め携帯端末３６に設定しておくことができる。
【００２４】
また、携帯端末３６は、一度挿入されたＳＩＭカードの情報を自動的に入手し、複数のＳＩＭカードを捜索することもできる。携帯端末３６は、挿入された第一のＳＩＭカードから電話番号や製造番号を読みとり、その情報を記憶する。次に、第二のＳＩＭカードが挿入されたら、その電話番号や製造番号も読みとり、その情報を記憶する。ユーザがＳＩＭカードを紛失した場合には、携帯端末３６は、記憶された情報に基づき、第一のＳＩＭカードに特定の信号を送信すると共に、第二のＳＩＭカードにも特定の信号を送信する。若しくは、携帯端末１６は、一度挿入されたＳＩＭカードの情報を自動的に入手し、最新のＳＩＭカードを捜索する。携帯端末３６は、挿入された第一のＳＩＭカードから電話番号や製造番号を読みとり、その情報を記憶した後、第二のＳＩＭカードが挿入されたら、その電話番号や製造番号も読みとり、その情報を上書きする。ユーザがＳＩＭカードを紛失した場合には、携帯端末３６は、記憶された情報に基づき、第二のＳＩＭカードに対して特定の信号を送信する。
【００２５】
ＳＩＭカード３０は、携帯端末３６から送信された特定の信号を、通信部３１により受信する（動作４０４）。この際、通信部３１は電源３３から電源の供給を受ける。通信部３１により特定の信号を受信したＳＩＭカード３０は、添付または内蔵されている発光源３２から光を放つ（動作４０５）。この際、発光源３２は電源３３から電源の供給を受ける。この発光源の発光により、ユーザは発光源を追跡することができるので、紛失していたＳＩＭカード３０を容易に発見することができる（動作４０６）。もしも、ＳＩＭカード３０の発見に至らなかった場合には、捜索場所を移動するなどして、捜索（動作４０３〜４０６）を繰り返す。
【図面の簡単な説明】
【００２６】
【図１】図１は、本発明による実施の形態におけるシステム構成図である。
【図２】図２は、図１に示す実施の形態における動作を説明するフローチャートである。
【図３】図３は、本発明による他の実施の形態におけるシステム構成図である。
【図４】図４は、図３に示す実施の形態における動作を説明するフローチャートである。
【符号の説明】
【００２７】
１０，３０  ＳＩＭカード
１１，３１  通信部
１２  スピーカ音源
３２  発光源
１３，３３  電源
１６，３６  携帯端末
【図１】
2008033417.tif 000003
【図２】
2008033417.tif 000004
【図３】
2008033417.tif 000005
【図４】
2008033417.tif 000006